(57)【特許請求の範囲】
【請求項１】
係止片を有する配管配設係止部材にスライド可能に嵌合可能な係止溝を有する台座部と、配管取付部とを一体に設け、
上記配管取付部には配管を支持する凹部が形成されており、この凹部に支持された配管を締め付けて固定する可撓性結束部材を有し、
上記凹部は、上記配管を互いに交差する方向のいずれか一方に固定可能な位置にそれぞれ形成され、
上記交差する方向の一方向と他方向では、互いに異なる数の上記配管を固定するように異なる数の上記凹部を形成してあることを特徴とする配管固定治具。
【請求項２】
請求項１において、上記凹部には突起部が設けてあることを特徴とする配管固定治具。
【発明の詳細な説明】
【０００１】
【発明の属する技術分野】
本発明は、例えば、集合住宅等の建物の天井スラブ等に配設される配管等を固定する治具に関する。
【０００２】
【従来の技術】
従来、集合住宅等の建物の天井スラブ等に水道管等の配管を配設するには、例えば、図１３に示す配管固定治具が用いられている。配管固定治具１００は金属製の台座部１０１と金属製のバンド部１０２からなる。この配管固定治具１００を天井スラブ１０３に取り付けるに当たっては、天井スラブ１０３のコンクリート打設の時点で、治具を取り付ける複数箇所に予めアンカーボルト１０５を螺合するためのインサート１０４を埋設しておく。そして、天井スラブの型枠脱型後、アンカーボルト１０５をインサート１０４に螺合し、アンカーボルト１０５に配管固定治具１００の台座部１０１を螺合して取り付け、ヒンジ部１０２ａを有するバンド部１０２で配管を抱合し、このバンド部１０２をネジ１０６により台座部１０１に止着して配管を固定するようにしている。
【０００３】
【発明が解決しようとする課題】
しかしながら、上記従来の配管固定治具には次のような問題点がある。まず、天井スラブに予めインサートを埋設する際に、スラブ型枠にインサートを固定しておくが、スラブ配筋やコンクリート打ちの時点でインサートが外れたり、曲がったりすることがある。かかる場合には、天井スラブに再度穴を開けてインサートを埋設する手間を要する。また、インサートを予め埋設するため、取り付け位置が固定され、作業現場での施工状況に応じて取り付け位置を変更することができない。したがって、変更する場合には上記と同様に別に取り付け穴を開ける手間を要することになる。
【０００４】
さらに、上記治具は、金属バンド部によって配管を固定するために、例えば給水管として凹凸を密に形成した樹脂製の鞘管方式を使用した場合は、十分な固定ができずにウォーターハンマー現象等によって配管がずれるおそれがある。そのため、この治具はそのまま鞘管には適用できないという問題点がある。
【０００５】
そこで、本発明の目的は、配管の配設が容易で作業性が良く、しかも低コストの配管固定治具を提供することにある。
【０００６】
【課題を解決するための手段】
本発明の配管固定治具は、係止片を有する配管配設係止部材にスライド可能に嵌合可能な係止溝を有する台座部と、配管取付部とを一体に設けたことを特徴とする。この配管固定治具は合成樹脂を一体成形してなるのが好ましい。この配管固定治具は配管配設係止部材を用いないで直接天井スラブ等に取り付けてもよい。
【０００７】
また、上記の台座部は平面略円形状であることを特徴とする。台座部の厚みを配管配設係止部材の係止溝の溝幅よりもやや狭く形成すれば、配管固定治具を容易にスライド又は回動させることができて配管の取付位置及び方向を任意に選択できる。
【０００８】
さらに、上記配管取付部には配管を支持する凹部が形成されており、この凹部に支持された配管を締め付けて固定する可撓性結束部材を有することを特徴とする。上記凹部は円弧状に形成するのが好ましく、対向する位置に１対づつ設けて１本の配管を２点で支持するのが好ましく、複数の配管を配置する場合は、複数対の凹部を設けるのが好ましい。上記可撓性結束部材には、その一端部に他端部を貫通させて係止する係止部を設けた合成樹脂製の可撓性紐状結束部材を用いるのが好ましい。
【０００９】
また、上記凹部は配管を互いに交差する方向のいずれか一方に固定可能な位置にそれぞれ形成され、交差する方向の一方向と他方向では、互いに異なる数の配管を固定するように異なる数の凹部又は異なる数の対の凹部を形成してあることを特徴とする。これにより配置すべき配管の数に応じて凹部を選択して配置・固定する。
【００１０】
さらに、上記凹部には突起部が設けてあることを特徴とする。この突起部は凹部に沿って突状に形成してあるのが好ましく、給水管に鞘管を用いた場合、鞘管の凹部を嵌め込んでずれないように固定する。この突起部は、異なるピッチの鞘管に対応できるように対の凹部の一方に設けるのが好ましい。
【００１１】
【実施の形態】
以下、図面を参照して本発明の実施の形態を説明する。
図１及び２は、本発明の第１実施例に係る配管固定治具の施工状態を示すもので、図１は配管固定治具に配管を取り付ける前の状態を示し、図２は配管を取り付けた状態を示している。天井スラブ１には、配管配設係止部材であるレール部材２が配設されている。このレール部材２は、天井スラブ１のコンクリート打設後、配管の設置箇所及び設置範囲に合わせて適宜切断され、鋲３により天井スラブ１に止着される。レール部材２の幅方向両端部には、その端部を内側に折り返して係止片部２ａと係止溝２ｂが形成されている。
【００１２】
レール部材２には、配管固定治具４が取り付けられる。図６〜図９に示すように、配管固定治具４は台座部４１と配管取付部４２とからなり、これらを一体に設けたもので、合成樹脂により一体成形されている。
【００１３】
台座部４１には、レール部材２の係止片部２ａに嵌合する係止溝４１ａが形成されている。図７に示すように、台座部４１は平面円形状に形成されている。このため後述のように、レール部材２に取り付ける際あるいは取り付けた状態で、水平方向の取付角度を任意に設定することができるという利点がある。また、台座部４１には、レール部材２に打ち込まれた鋲３の頭部が通過可能な凹部４１ｂが形成されている。台座部４１の厚みは、レール部材２の係止溝２ｂの溝幅よりもやや狭く形成されているため、台座部４１はレール部材２内でスライド可能である。
【００１４】
配管取付部４２は平面略長方形状に形成されている。配管取付部４２は、係止溝４１ａから延びる軸部とそれに続く平面部とからなる基部４２ａと、その周端部から垂下して形成された配管支持部４２ｂとからなる。配管支持部４２ｂには、その対向する辺にそれぞれ対をなして、配管をはめ込む円弧状の凹部４２ｃが形成され、配管を交差する方向のいずれか一方に配置できるように構成されている。すなわち、この実施例では、平面略長方形状の配管取付部４２の対向する長辺部Ｌに当たる配管支持部４２ｂには、２対の凹部４２ｃがそれぞれ対向して形成され、短辺部Ｓに当たる配管支持部４２ｂには、１対の凹部４２ｃが対向して形成されている（図６参照）。つまり、この実施例の配管固定治具４では、上記の長辺部Ｌに当たる配管支持部４２ｂの２対の凹部４２ｃを使用すれば、図１及び２に示すように、２本の配管を平行に配設することが可能であり、また、短辺部Ｓに当たる凹部４２ｃを使用して１本の配管を配設することもできる。なお、この実施例では、上記凹部４２ｃにより長辺部Ｌで２本、短辺部Ｓで１本の配管を取り付けるようにしているが、この配置は限定されないので、例えば、長辺部Ｌで３本、短辺部Ｓで２本の配管を取り付けるようにして、その配管の数に見合った数の凹部４２ｃを形成してもよい。
【００１５】
なお、配管取付部４２の平面形状は、長方形状には限定されないので、例えば平面円形状に形成し、上記と同様に交差する方向の位置に異なる数の凹部４２ｃを形成し、併設する配管の本数に応じて凹部を選択できるようにしてもよい。
【００１６】
対向して対をなす凹部４２ｃの一方の側には、突起部４２ｄが形成されている。この突起部４２ｄは凹部４２ｃに沿って円弧状の突条に形成されている。突起部４２ｄは、配管に後記する樹脂製の鞘管を用いる場合に、鞘管の凹部に嵌合されて鞘管を固定し、ウォーターハンマー等の振動により生じるズレを有効に防止することができる。また、突起部４２ｄを対をなす凹部４２ｃの一方の側にのみ設けているので、異なるピッチの凹凸を有する鞘管に対応することができるようになっている。
【００１７】
配管取付部４２には、配管を締め付けて固定する可撓性結束部材５を挿通可能な取付孔４２ｅ，４２ｆが形成されている。すなわち、配管取付部４２の長辺部Ｌの中央部には、対向する１対の取付孔４２ｅが形成されている。この取付孔４２ｅは、配管支持部４２ｂの短辺部に形成された凹部４２ｃに配管を固定する場合に紐状の可撓性結束部材５を挿通して使用する。配管取付部４２の短辺部の凹部４２ｃの上部には、対向する１対の取付孔４２ｆが形成されている。この取付孔４２ｆは、配管支持部４２ｂの長辺部に形成された２対の凹部４２ｃに配管を固定する場合に可撓性結束部材５を挿通して使用するものである。また、図７に示すように、配管取付部４２の基部平面部の四隅には、補助的な取付孔４２ｇが４箇所形成されている。この取付孔４２ｇは、凹部４２ｃに比較的小さな径の配管を固定する場合に、可撓性結束部材５を取り付けるためのものである。したがって、この配管固定治具４は、径の異なる配管に対応することができる。なお、上記取付孔４２ｅ，４２ｆ，４２ｇの配置数及び配置位置はこの実施例に示した構成に限定されないので、凹部４２ｃの配置数を変更した場合などには適宜変更すればよい。
【００１８】
可撓性結束部材５は、この実施例では合成樹脂製の紐状係止部材を用いている。図１及び２に示すように、その一端部には係止孔を形成した係止部５ａが設けられ、他端部５ｂには図示しない小突起が形成されており、他端部５ｂを係止部５ａの係止孔に挿通した状態で、係止孔内に設けられた戻り止め突起に係合され固定されるようになっている。なお、可撓性結束部材５には銅線を芯材としてこれを合成樹脂で被覆したビニールタイを用いてもよく、その場合は係止部を設けずに、ビニールタイの端部同士を結び付けて固定するようにしてもよい。本実施例では、配管を固定するのに上記した可撓性結束部材を用いている。したがって、管だけでなく電線等の線材を束ねて結束することもできるので、この配管固定治具４は配線にも適用できる。
【００１９】
次に、配管固定治具４をレール部材２に固定するための固定手段について説明すると、図２、図７及び図８に示すように、配管固定治具４の軸部には、ボルト孔４２ｈが形成してある。このボルト孔４２ｈに下方から固定ボルト８を螺合して締め付けると、固定ボルト８の上端部がレール部材２の平面部下側に圧接され、このため台座部４１とレール部材２の係止片２ａが締め付けられて固定される。図３に示す固定ボルト８は、合成樹脂を一体成形したものであり、その頭部にはドライバー用の溝部８ａと手回し用のつまみ部８ｂが形成されている。
【００２０】
固定ボルト８に代えて図４に示すような割りピン９を用いてもよい。この割りピン９を用いる場合は、ボルト孔４２ｈに下から割りピン９を挿入し、その端部がレール部材２の平面部下側に達した時に押圧すれば、割り溝９ａが開いて、配管固定治具４の台座部４１とレール部材２の隙間に嵌入されることになる。これにより上記と同様に台座部４１とレール部材２の係止片２ａが締め付けられて固定される。
【００２１】
なお、配管固定治具４は、図６及び図９に示すように、その台座部４１の上端部が平面状に形成されているので、天井スラブ１に直接取り付けることも可能である。このための構成として、図２及び図８に示すように、ナットを取り付けることが可能なナット取付凹部４２ｉが形成されている。このナット取付凹部４２ｉに図示しないナットをはめ込んで、天井スラブ１に埋設されたインサートにボルトを介して配管固定治具４を固定すれば、天井スラブ１に直接取り付けることができる。
【００２２】
図１０〜図１３は、配管固定治具４を天井スラブ１に取り付けるための他の固定手段を示している。図１０の例では、先割れボルト１０を天井スラブ１に埋設して、そのねじ部にナットで配管固定治具４を固定する。図１１の例では、天井スラブ１に形成した取付穴１ａに硬化性樹脂１１を充填し、そこにねじ１２で配管固定治具４を固定する。図１２の例では、図示しない鋲打ち機等により鋲１３を配管固定治具４の軸部を貫通して打ち込むことにより固定する。図１３の例では、配管固定治具４の台座部４１の上端部と天井スラブ１間を両面接着テープ１４により接着・固定する。
【００２３】
本第１実施例では、配管に合成樹脂製の鞘管６を用いた例を示している。鞘管６内には可撓性の合成樹脂管７が貫通している。なお、配管固定治具４は図示した鞘管６だけでなく、硬質の合成樹脂管、金属管等にも適用できることはもちろんである。
【００２４】
次に、配管固定治具４により配管を配設する過程を説明すると、図１に示すレール部材２の端部から、配管固定治具４の台座部４１をレール部材２の係止溝２ｂにはめ込み、この配管固定治具４を設置する所定箇所までスライドさせる。この際、台座部４１の厚みはレール部材２の係止溝２ｂの溝幅より狭い厚みに形成されており（図２参照）、かつ台座部４１にはレール部材２に打ち込まれた鋲３の頭部が通過可能な逃げ凹部４１ｂが形成されているので、円滑にスライドさせることができる。配管固定治具４が所定位置に達したら、ボルト孔４２ｈに固定ボルト８をねじ込み、これを締め付けて配管固定治具４をレール部材２に固定する。この際、台座部４１は平面円形に形成されているので、配管固定治具４の向きを任意に選択できる。次に、配管支持部４２ｂの凹部４２ｃに鞘管６を当ててはめ込む。この際、図１のように、配管支持部４２ｂの長辺部Ｌの凹部４２ｃを選んで、２本の鞘管６を平行に配設してもよく、あるいは短辺部Ｓの凹部４２ｃを選んで１本の鞘管を配設してもよい。このように、本発明の配管固定治具によれば、配管の位置、方向及び本数等を任意に設定することが容易である。そして、凹部４２ｃの突起部４２ｄが鞘管６の凹部にはまり込むように取り付ける。次いで、取付孔４２ｆに通した可撓性結束部材５を鞘管６の外周に回して、可撓性結束部材５の端部５ｂを係止部５ａに通して締め付ける。この際、可撓性結束部材５は鞘管６の凹部にはまり込むように取り付け、しっかりと固定する。
【００２５】
なお、本実施例の配管固定治具４には、可撓性結束部材５が配管固定治具４に固着されていないので、可撓性結束部材５が損傷した場合の交換が極めて容易である。
【００２６】
図５に示すように、この配管固定治具４では、従来の金属バンド部からなる配管固定治具１００を取り付けて使用することもできる。すなわち、配管固定治具４の台座部４１内には、ナットＮを収容する凹部４１ｃが形成されている（図５及び図７参照）。このため凹部４１ｃ内にナットＮを嵌め込んで、配管固定治具１００に固定したボルト１０５をナットＮに螺合させ、ボルト１０５の上端部でレール部材２の内面を圧接して締め付けるようにすれば、配管固定治具４と配管固定治具１００はレール部材２に固定される。
【００２７】
図１４ないし図１７は、本発明の第２実施例に係る配管固定治具を示している。配管固定治具４０は、１本の配管を配設する治具であり、配管支持部４２ｂには配管をはめ込む凹部４２ｃが１対形成されているものである。そして、台座部４１の係止溝４１ａの下側にリング状のリブ４３が形成され、レール部材２の係止片２ａにはめ込んだ際のぐらつきを防止するようになっている。他の構成は上記第１実施例とほぼ同様であるのでその説明を省略する。
【００２８】
図２０は、第３実施例に係る配管固定治具４４を示すものである。この配管固定治具４４は、レール部材２に取り付けられる台座部４４ａと配管固定ベルト部４４ｂを合成樹脂により一体成形したものである。台座部４４ａは、第１及び第２実施例と同様に平面円形に形成されている。配管固定ベルト部４４ｂには、係止凹部４４ｃと係止凸部４４ｄが形成されており、この係止凹部４４ｃと係止凸部４４ｄを係合させることによって、配管固定ベルト部４４ｂ内に配管を保持するものである。
【００２９】
図１８及び図１９は他の実施例を概念的に示している。図１８の配管固定治具４５は、３本の配管Ｈを固定するものである。配管Ｈは鞘管でもよく、金属管等でもよい。配管固定治具４５には３本の配管Ｈを平行に配設可能な位置に、配管Ｈを支持する円弧状凹部４５ａを並列に形成してある。配管固定治具４５には可撓性結束部材Ｋを挿通可能な取付孔４５ｂ，４５ｃが形成されていると共に、可撓性結束部材Ｋを係止するフック部Ｆが凹部４５ａの間に設けてある。配管Ｈの取り付けに際しては、頭部を有する可撓性結束部材Ｋを取付孔４５ｂから挿通し、３本の配管Ｈのそれぞれの外周に掛け回すようにして各フック部Ｆに係止し、反対側の取付孔４５ｃに挿通して、図示しない係止部材により締め付けて固定する。
【００３０】
図１９は、配管Ｈを縦形に配置するための構成を有する配管固定治具４６を示している。この配管固定治具４６では、台座部４６ａと直交する方向に配管支持部４６ｂを突設してある。配管支持部４６ｂには、その片側に１個所、反対側に２個所の円弧状凹部４６ｃが形成されている。そして、配管支持部４６ｂの上下のそれぞの位置に可撓性結束部材Ｋを挿通して取り付ける取付孔４６ｄ，４６ｅが形成されている。この配管固定治具４６では配管Ｈを図示のように配置して可撓性結束部材Ｋで固定する。なお、凹部４６ｃの数及び位置は、配管Ｈの本数及び設置位置に合わせて適宜設定すればよい。また、各凹部４６ｃの近傍に図１８に示すようなフック部Ｆを複数設けるようにしてもよい。
【００３１】
なお、上記各実施例では、天井スラブに配管を配設する例を説明したが、本発明の配管固定治具は室内の壁又は床、あるいは外壁の配管固定にも用いることができる。
【００３２】
【発明の効果】
本発明の配管固定治具は、配管配設係止部材に嵌合可能な係止溝を有する台座部と配管取付部とを一体に設けてあるので、配管等の配設が容易で作業性が良く、しかも低コストである。
【００３３】
また、配管取付部に配管を支持する凹部が形成されており、この凹部にはめ込まれた配管を締め付けて固定する可撓性結束部材を有するので、配管の固定が容易で作業性が向上し、径の異なる配管、さらには配線にも適用できるので応用範囲が広い。また、メンテナンスも容易である。
【００３４】
さらに、上記配管取付部は互いに交差する方向のいずれにも配置可能な位置に配管を支持する凹部が形成され、かつこの凹部は交差する二方向では異なる本数の配管を配置可能に形成されているので、同じ配管固定治具を使用して異なる本数の配管を配設することが可能である。
【００３５】
さらに、上記凹部には突起部が設けてあるので、鞘管をずれないように固定することができる。
【図面の簡単な説明】
【図１】  本発明の配管固定治具の施工状態を示す斜視図である。
【図２】  配管を固定した状態を示す断面図である。
【図３】  固定ボルトの斜視図である。
【図４】  止着部材（割りピン）の正面図である。
【図５】  金属バンド製の配管固定治具を取り付けた状態を示す断面図である。
【図６】  第１実施例の配管固定治具を示す正面図である。
【図７】  図６の平面図である。
【図８】  図６の底面図である。
【図９】  図６の側面図である。
【図１０】  先割れボルトによる固定状態を示す断面図である。
【図１１】  硬化性樹脂とボルトによる固定状態を示す断面図である。
【図１２】  鋲打ちによる固定状態を示す断面図である。
【図１３】  両面接着テープによる固定状態を示す断面図である。
【図１４】  第２実施例の配管固定治具を示す正面図である。
【図１５】  図１４の側面図である。
【図１６】  図１４の平面図である。
【図１７】  図１５の底面図である。
【図１８】  他の実施例の断面図である。
【図１９】  他の実施例の断面図である。
【図２０】  第３実施例の配管固定治具の取付状態を示す一部断面正面図である。
【図２１】  従来例の配管固定治具の取付状態を示す一部断面正面図である。
【符号の説明】
１    天井スラブ
２    配管配設係止部材（レール部材）
２ａ  係止片
４，４０，４４，４５，４６  配管固定治具
４１，４６ａ  台座部
４１ａ  係止溝
４２，４６ｂ  配管取付部
４２ｃ，４５ａ，４６ｃ  凹部
４２ｄ  突起部
５，Ｋ  可撓性結束部材
【図１】
0003725596.tif 000002
【図２】
0003725596.tif 000003
【図３】
0003725596.tif 000004
【図４】
0003725596.tif 000005
【図５】
0003725596.tif 000006
【図６】
0003725596.tif 000007
【図７】
0003725596.tif 000008
【図８】
0003725596.tif 000009
【図９】
0003725596.tif 000010
【図１０】
0003725596.tif 000011
【図１１】
0003725596.tif 000012
【図１２】
0003725596.tif 000013
【図１３】
0003725596.tif 000014
【図１４】
0003725596.tif 000015
【図１５】
0003725596.tif 000016
【図１６】
0003725596.tif 000017
【図１７】
0003725596.tif 000018
【図１８】
0003725596.tif 000019
【図１９】
0003725596.tif 000020
【図２０】
0003725596.tif 000021
【図２１】
0003725596.tif 000022